(57)【要約】【課題】  遊技機内に不正具が侵入されることを検知可能として、不正行為を未然に防止する。【解決手段】  固定枠１と、固定枠１に対して開閉自在に取り付けられる扉体２、３とを備えた遊技機において、固定枠１または扉体２、３の一方の対向面２ａ、３aに、動的加重を検知可能なケーブル状の圧電センサ１３を固定枠１または扉体２、３の一方の外周に沿うように設けることにより、遊技機内に不正具が侵入されることを検知する。【選択図】        図２
2005176954.tif 000002
【特許請求の範囲】
【請求項１】
固定枠と、該固定枠に対して開閉自在に取り付けられる扉体とを備えた遊技機において、
前記固定枠または前記扉体の一方の対向面に、動的加重を検知可能なケーブル状の圧電センサを前記固定枠または前記扉体の一方の外周に沿うように設けたことを特徴とする遊技機。
【請求項２】
圧電センサを、固定枠または扉体の一方の対向面に設けた凹部に設けたことを特徴とする請求項１記載の遊技機。
【請求項３】
圧電センサを、固定枠または扉体の一方の対向面に設けた凹部に埋設するとともに、前記固定枠または前記扉体の他方に、前記凹部に嵌入可能な凸部を設けたことを特徴とする請求項１記載の遊技機。
【請求項４】
圧電センサが予め定められた動的加重を検知することにより、前記動的加重に応じて不正侵入信号を遊技機外部に出力可能な制御装置を備えたことを特徴とする請求項１〜３のいずれかに記載の遊技機。
【発明の詳細な説明】
【技術分野】
【０００１】
本発明は、固定枠の前面に扉体が開閉自在に取り付けられてなる弾球遊技機（パチンコ機）や回胴遊技機（スロットマシン）等の遊技機に関する。
【背景技術】
【０００２】
従来、上述のような遊技機においては、遊技施設の遊技島に取り付けられる固定枠（通称、後枠）と、この固定枠の前面に開閉可能に取り付けられるとともに、前面に遊技領域を設けた遊技パネル及び遊技パネルの遊技領域をガラス等で透視可能に遮蔽する前面枠により形成される扉体とを備えて構成される。そして、固定枠と扉体との一方に、光センサを設け、扉体が不正に開閉されると、光センサにより扉体の不正開扉を検知可能としている（例えば、特許文献１参照）。
【特許文献１】特開２０００−８４２２３号公報
【発明の開示】
【発明が解決しようとする課題】
【０００３】
しかし、上記特許文献１に記載されているような従来の遊技機においては、扉体の不正開扉を検知することはできるが、例えば、固定枠と扉体との間の隙間からピアノ線等の不正具を遊技機内に侵入させることは検知できない。したがって、不正具により遊技機内に設けられた制御装置、センサ等の種々装置が不正に弄られ、不正に遊技が行われることを防止することは困難である。
【０００４】
本発明は、上述の従来の問題に鑑み、遊技機内に不正具が侵入されることを検知可能として、不正行為を未然に防止することができるようにした遊技機を提供することを目的とする。
【課題を解決するための手段】
【０００５】
本発明によると、上記課題は、次のようにして解決される。
（１） 固定枠と、該固定枠に対して開閉自在に取り付けられる扉体とを備えた遊技機において、前記固定枠または前記扉体の一方の対向面に、動的加重を検知可能なケーブル状の圧電センサを前記固定枠または前記扉体の一方の外周に沿うように設ける。
【０００６】
（２） 上記(１)項において、圧電センサを、固定枠または扉体の一方の対向面に設けた凹部に設ける。
【０００７】
(３) 上記(１)項において、圧電センサを、固定枠または扉体の一方の対向面に設けた凹部に埋設するとともに、前記固定枠または前記扉体の他方に、前記凹部に嵌入可能な凸部を設ける。
【０００８】
(４) 上記(１)〜(３)項のいずれかにおいて、圧電センサが予め定められた動的加重を検知することにより、前記動的加重に応じて不正侵入信号を遊技機外部に出力可能な制御回路を備える。
【発明の効果】
【０００９】
本発明によれば、次のような効果が奏せられる。
(ａ) 請求項１記載の発明によると、固定枠または扉体の一方の対向面に、動的加重を検知可能なケーブル状の圧電センサを固定枠または扉体の一方の外周に沿うように設けたことにより、不正具が固定枠と扉体との間の隙間から遊技機内に侵入されることを確実に検出することができ、不正行為を未然に阻止することが可能となる。
【００１０】
(ｂ) 請求項２記載の発明によると、圧電センサを、固定枠または扉体の一方の対向面に設けた凹部に設けたことにより、圧電センサの位置決め及び取付を容易に行うことができる。
【００１１】
(ｃ) 請求項３記載の発明によると、圧電センサを、固定枠または扉体の一方の対向面に設けた凹部に完全に埋設するとともに、固定枠または扉体の他方に、凹部に嵌入可能な凸部を設けたことにより、凸部により不正具の侵入を阻止することができ、不正行為をより確実に阻止することが可能となる。
【００１２】
(ｄ) 請求項４記載の発明によると、圧電センサが予め定められた動的加重を検知することにより、動的加重に応じて不正侵入信号を遊技機外部に出力可能な制御装置を備えたことにより、遊戯施設の係員は不正行為を確実に発見することが可能となる。
【発明を実施するための最良の形態】
【００１３】
遊技機(100)は、遊戯施設の遊技島に据え付けられる固定枠をなす矩形枠状の木製の後枠(１)と、後枠(１)の左側上下部に、外枠(１)に対して前方へ片開き可能に枢支される扉体をなす遊技パネル(２)及び前面扉(３)とを備える。なお、前面扉(３)及び遊技パネル(２)は、後枠(１)に対して閉状態にあるとき、遊戯施設の係員が所持している鍵を使用しない限り開けることができないように施錠されている。
【００１４】
遊技パネル(２)の前面には、遊技パネルの下部に設けられた操作ハンドル(４)の回動操作により、図示略の発射装置により発射された遊技球を打ち込み可能な遊技領域(５)が設けられ、遊技領域(５)の下方には、遊技球を貯留可能な貯留皿(６)が設けられている。また、遊技パネル(２)の後面側には、各種センサの検出信号に基づいて所定の遊技を実行可能な制御装置(20)（図４に示す）、及び制御装置(20)により制御される各種駆動装置等が設けられている。
【００１５】
遊技領域(５)には、遊技領域(５)に打ち込まれた遊技球が始動口(７)に入賞することにより、複数の識別情報を変動表示可能な表示装置(８)、及び表示装置(８)の識別情報が予め定められた特定の表示形態で停止することにより、遊技球が入賞しやすい状態に開いて、短期間の間に大量の遊技球を獲得可能にする変動入賞装置(９)等が設けられている。なお、表示装置(８)や変動入賞装置(９)等は、前記制御装置(20)により制御される。
【００１６】
前面扉(３)の中央部には、閉状態にあるとき、遊技パネル(２)の遊技領域(５)を透視可能に遮蔽するガラス(10)が嵌め込まれている。また、前面扉(３)には、遊技を盛り上げるための複数のランプ(11)、及びスピーカ(12)が設けられている。
【００１７】
なお、遊技パネル(２)が外枠(１)に対して開閉される場合には、外枠(１)が固定枠、遊技パネル(２)が扉体として定義される。また、遊技パネル(２)が外枠(１)に対して閉状態にある場合に、前面扉(１)が遊技パネル(２)に対して開閉されるときには、遊技パネル(２)が固定枠と定義され、また前面扉(１)が扉体と定義される。
【００１８】
遊技パネル(２)が閉状態にあるとき、後枠(１)の遊技パネル(２)に対向する対向面(1a)には、遊技パネル(２)と後枠(１)との間の隙間(A)（図３に示す）からピアノ線等の不正具が遊技機(１)内、すなわち遊技パネル(２)の後面側に侵入されることを検出可能なケーブル状の圧電センサ(13)が設けられている。
【００１９】
また、遊技パネル(２)及び前面扉(３)が閉状態にあるとき、遊技パネル(２)の前面扉(１)に対向する対向面(2a)には、遊技パネル(２)と前面扉(１)との間の隙間(Ｂ)（図３に示す）からピアノ線等の不正具が遊技機(100)内、すなわち遊技領域(５)内に侵入されることを検出可能なケーブル状の圧電センサ(13)が設けられている。
【００２０】
後枠(１)に設けられる圧電センサ(13)は、後枠(１)の対向面(1a)に、後枠(１)の外周に沿うように（換言すると、遊技パネル(２)の後面側に設けられる制御装置(20)やセンサ等を囲むように）して設けられる。具体的には、後枠(１)の対向面(1a)に後枠(１)の外周に沿うように設けられた後ろ向きの凹部(1b)内に接着材等により接着される。
【００２１】
また、遊技パネル(２)に設けられる圧電センサ(13)は、遊技パネル(２)の対向面(1a)に、遊技パネル(２)の遊技領域(５)を囲むようにして設けられる。具体的には、遊技パネル(２)の対向面(1a)に遊技領域(５)を囲むようにして設けられた後ろ向きの凹部(2b)内に接着材等により接着される。
【００２２】
圧電センサ(13)を、後枠(１)の凹部(1b)及び遊技パネル(２)の凹部(2b)に設けたことにより、圧電センサ(13)の位置決め及び取付を容易に行うことができる。
【００２３】
遊技パネル(２)及び前面扉(３)がともに閉状態にあるとき、遊技パネル(２)と後枠(１)との間の隙間(A)から、不正行為によりピアノ線等の不正具を遊技パネル(２)の後面側に侵入させようとすると、不正具が圧電センサ(13)に触れることにより、不正具の侵入に伴う動きが動的加重として圧電センサ(13)に印加されることとなる。また、遊技パネル(２)と前面扉(３)との間の隙間(Ｂ)から、不正行為によりピアノ線等の不正具を遊技領域(５)内に侵入させようとすると、不正具が圧電センサ(13)に触れることにより、不正具の侵入に伴う動きが動的加重として圧電センサ(13)に印加されることとなる。
【００２４】
圧電センサ(13)に動的加重が印加されると、圧電センサ(13)は、その加重の加速度に応じたアナログ電圧信号を出力する。そして、圧電センサ(13)から出力されたアナログ電圧信号は、圧電センサ(13)に接続された制御回路(30)（図４に示す）に設定された所定の閾値により、デジタル信号に変換された後、制御装置(20)を介して、遊戯施設の遊技機全体を集中管理するホールコンピュータ(40)（図４に示す）に出力されるようになっている。
【００２５】
ホールコンピュータ(40)は、制御装置(20)から最初のデジタル信号が入力されることにより、遊技機(100)内に不正具侵入の可能性有りと判断する。この判断に基づいて、遊戯施設に設置された防犯ビデオは、不正具侵入の可能性有りに該当する遊技機(100)の撮影を開始する。
【００２６】
そして、制御装置(20)に、最初のデジタル信号が入力されてから所定時間内に予め定められた動的加重に応じた形態のデジタル信号が入力された場合には、遊技機(100)内に不正具の侵入有りと判断し、制御装置(20)により遊技機(100)のランプ(11)を異常有りとして点滅させたり、スピーカ(12)に異常有りの音を発生させたりするとともに、ホールコンピュータ(40)に不正侵入信号を送出する。これにより、遊戯施設の係員は、ホールコンピュータ(40)の報知により不正行為を確実に発見することが可能となる。
【００２７】
なお、最初のデンタル信号の出力を、不正具侵入として即座に判断しないようにしたのは、遊技機(100)の振動、遊技パネル(２)の開閉するときの動的加重を不正具侵入と誤検出しないようにするためである。
【００２８】
図５は、本発明に係わる他の実施例を示す。この実施例においては、後枠(１)の対向面(1a)に設けられる凹部(1b)、及び遊技パネル(２)に設けられる凹部(2b)を、圧電センサ(13)が完全に埋設されるべく深さに形成するとともに、遊技パネル(２)の凹部(1b)に対向する領域に、遊技パネル(２)が閉状態にあるとき、凹部(1b)に嵌入可能な凸部(15)を設け、また、前面扉(３)の凹部(2b)に対向する領域に、前面扉(３)が閉状態にあるとき、凹部(2b)に嵌入可能な凸部(16)を設けている。
【００２９】
他の実施例においては、上述のように構成することにより、不正具の侵入を各凸部(15)(16)により阻止することができ、不正具の遊技機(100)内への侵入を確実に阻止することが可能となり、不正行為をより確実に阻止することができる。
【００３０】
以上、本発明の実施形態について説明したが、本発明の要旨を逸脱しない範囲内で、上記実施形態に次のような種々の変形や変更を施すことが可能である。
【００３１】
(Ａ) 圧電センサ(13)を後枠(１)の対向面に設けることに代えて、圧電センサ(13)を遊技パネル(２)の外枠(１)に対向する対向面に設けること。
(Ｂ) 圧電センサ(13)を遊技パネル(２)の対向面に設けることに代えて、圧電センサ(13)を前面扉(３)の遊技パネル(２)の対向する対向面に設けること。
(Ｃ) 圧電センサ(13)を、後枠(１)と遊技パネル(２)との間の隙間または遊技パネル(２)と前面扉(３)との間の隙間のいずれか一方の隙間に設けること。
(Ｄ) 遊技機を回胴遊技機とすること。
【図面の簡単な説明】
【００３２】
【図１】本発明に係わる遊技機の正面図である。
【図２】前面枠及び遊技パネルが開状態にあるときの遊技機の斜視図である。
【図３】図１におけるIII−III線に沿う拡大横断面図である。
【図４】不正行為を検出するブロック図である。
【図５】本発明の他の実施例に係わる図３と同様な部位の拡大断面図である。
【符号の説明】
【００３３】
(１)後枠（固定枠）
(1a)対向面
(1b)凹部
(２)遊技パネル（扉体、固定枠）
(2a)対向面
(３)前面扉（扉体）
(3a)対向面
(４)操作ハンドル
(５)遊技領域
(６)貯留皿
(７)始動口
(８)表示装置
(９)変動入賞装置
(10)ガラス
(11)ランプ
(12)スピーカ
(13)圧電センサ
(15)(16)凸部
(20)制御装置
(30)制御回路
(40)ホールコンピュータ
(100)遊技機
【図１】
2005176954.tif 000003
【図２】
2005176954.tif 000004
【図３】
2005176954.tif 000005
【図４】
2005176954.tif 000006
【図５】
2005176954.tif 000007